【手続補正書】
【提出日】平成20年7月16日(2008.7.16)
【手続補正１】
【補正対象書類名】明細書
【補正対象項目名】発明の名称
【補正方法】変更
【補正の内容】
【発明の名称】印刷システム、管理方法、印刷装置、及び印刷制御方法
【手続補正２】
【補正対象書類名】明細書
【補正対象項目名】特許請求の範囲
【補正方法】変更
【補正の内容】
【特許請求の範囲】
【請求項１】  ネットワークを介して接続された印刷装置とコンピュータとから構成される印刷システムにおいて、
前記印刷装置は、
前記コンピュータから印刷ジョブを受信するジョブ受信手段と、
前記コンピュータから、印刷ジョブで用いる印刷命令による動作に加えて、当該印刷命令に応じて印刷に関わる情報を記録させるための命令を受信する受信手段と、
前記受信手段で受信した命令に従って、前記ジョブ受信手段により受信した印刷ジョブに含まれる印刷命令による動作に加えて、当該印刷命令に応じて印刷に関わる情報を記録する記録手段とを有し、
前記コンピュータは、
前記印刷装置に対して印刷ジョブを送信するジョブ送信手段と、
前記印刷命令による動作に加えて、当該印刷命令に応じて印刷に関わる情報を記録させるための命令を印刷装置に送信する送信手段と、を有することを特徴とする印刷システム。
【請求項２】  前記受信手段で受信した命令は、少なくともジョブ開始、改ページ、及びジョブ終了のいずれかを定義する印刷命令に対して、当該印刷命令による動作に加えて、当該印刷命令に応じて印刷に関わる情報を記録させるための命令であることを特徴とする請求項１に記載の印刷システム。
【請求項３】  前記印刷に関わる情報は、少なくともジョブの実行者、開始時刻、終了時刻、用紙サイズ、印刷レイアウト、及びコンピュータ名のいずれかを含むことを特徴とする請求項１または２に記載の印刷システム。
【請求項４】  前記コンピュータは、
前記印刷装置の記録手段により記録された印刷に関わる情報を読み取る読取手段と、
前記読取手段における読み取り終了後、前記記録手段で記録された印刷に関わる情報を削除させる削除手段とを更に有することを特徴とする請求項１乃至３のいずれか１項に記載の印刷システム。
【請求項５】  ネットワークを介して接続された印刷装置とコンピュータとから構成される印刷システムにおける管理方法であって、
コンピュータによる印刷ジョブで用いる印刷命令による動作に加えて、当該印刷命令に応じて印刷に関わる情報を記録させるための命令を印刷装置に送信する送信工程と、
前記印刷装置による前記コンピュータから、印刷ジョブを受信するジョブ受信工程と、
前記印刷装置による前記コンピュータから、前記印刷命令による動作に加えて、当該印刷命令に応じて印刷に関わる情報を記録させるための命令を受信する受信工程と、
前記印刷装置による前記受信工程で受信した命令に従って、前記コンピュータから受信した印刷ジョブに含まれる印刷命令による動作に加えて、当該印刷命令に応じて印刷に関わる情報を記録する記録工程とを有することを特徴とする管理方法。
【請求項６】  前記受信工程で受信した命令は、少なくともジョブ開始、改ページ、及びジョブ終了のいずれかを定義する印刷命令に対して、当該印刷命令による動作に加えて、当該印刷命令に応じて印刷に関わる情報を記録させるための命令であることを特徴とする請求項５に記載の管理方法。
【請求項７】  前記コンピュータによる前記印刷装置の記録工程において記録された印刷に関わる情報を読み取る読取工程と、
前記読取工程における読み取り終了後、前記記録工程において記録された印刷に関わる情報を削除する削除工程とを更に有することを特徴とする請求項５または６に記載の管理方法。
【請求項８】  ネットワークを介してコンピュータから印刷ジョブを受信するジョブ受信手段と、
印刷ジョブで用いる印刷命令による動作に加えて、当該印刷命令に応じて印刷に関わる情報を記録させるための命令に従って、前記ジョブ受信手段により受信した印刷ジョブに含まれる印刷命令による動作に加えて、当該印刷命令に応じて印刷に関わる情報を記録する記録手段とを有することを特徴とする印刷装置。
【請求項９】  前記ジョブ受信手段により受信した印刷ジョブに含まれる印刷命令が、当該印刷命令による動作に加えて、当該印刷命令に応じて印刷に関わる情報を記録させるための命令の対象となる印刷命令か否かを判断する判断手段と、
前記印刷ジョブに含まれる印刷命令による動作を実行する実行手段とを更に有し、
前記判断手段により前記印刷ジョブに含まれる印刷命令が、当該印刷命令による動作に加えて、当該印刷命令に応じて印刷に関わる情報を記録させるための命令の対象となる印刷命令であると判定された際に、前記実行手段により当該印刷命令による動作を実行するとともに、前記記録手段により印刷に関わる情報を記録することを特徴とする請求項８に記載の印刷装置。
【請求項１０】  少なくともジョブ開始、改ページ、及びジョブ終了のいずれかを定義する印刷命令が、前記印刷命令による動作に加えて、当該印刷命令に応じて印刷に関わる情報を記録させるための命令に従う印刷命令であることを特徴とする請求項８または９に記載の印刷装置。
【請求項１１】  前記印刷に関わる情報は、少なくともジョブの実行者、開始時刻、終了時刻、用紙サイズ、印刷レイアウト、及びコンピュータ名のいずれかを含むことを特徴とする請求項８乃至１０のいずれか１項に記載の印刷装置。
【請求項１２】    前記記録手段は、前記印刷ジョブに含まれる改ページを定義する印刷命令による改ページ処理に加えて、当該改ページ対象となるページのカラー情報、用紙サイズ、及び用紙タイプを印刷に関わる情報として記録することを特徴とする請求項８に記載の印刷装置。
【請求項１３】  印刷装置における印刷制御方法であって、
ネットワークを介してコンピュータから印刷ジョブを受信するジョブ受信工程と、
印刷ジョブで用いる印刷命令による動作に加えて、当該印刷命令に応じて印刷に関わる情報を記録させるための命令に従って、前記ジョブ受信工程で受信した印刷ジョブに含まれる印刷命令による動作に加えて、当該印刷命令に応じて印刷に関わる情報を記録する記録工程とを有することを特徴とする印刷制御方法。
【請求項１４】  少なくともジョブ開始、改ページ、及びジョブ終了のいずれかを定義する印刷命令が、前記印刷命令による動作に加えて、当該印刷命令に応じて印刷に関わる情報を記録させるための命令に従う印刷命令であることを特徴とする１３に記載の印刷制御方法。
【請求項１５】  前記記録工程においては、前記印刷ジョブに含まれる改ページを定義する印刷命令による改ページ処理に加えて、当該改ページ対象となるページのカラー情報、用紙サイズ、及び用紙タイプを印刷に関わる情報として記録することを特徴とする請求項１３に記載の印刷制御方法。
【請求項１６】  請求項１３乃至１５のいずれか１項に記載の印刷制御方法をコンピュータにより実行させるためのプログラム。
【手続補正３】
【補正対象書類名】明細書
【補正対象項目名】０００１
【補正方法】変更
【補正の内容】
【０００１】
【発明の属する技術分野】
本発明は、ネットワークを介して接続された印刷装置とコンピュータとから構成される印刷システム、管理方法、印刷装置、及び印刷制御方法に関するものである。
【手続補正４】
【補正対象書類名】明細書
【補正対象項目名】００１０
【補正方法】変更
【補正の内容】
【００１０】
本発明は、上記課題を解決するためになされたもので、印刷装置や周辺装置で実行されるジョブの情報を簡便に、かつ正確に取得できる印刷システム、管理方法、印刷装置、及び印刷制御方法を提供することを目的とする。
【手続補正５】
【補正対象書類名】明細書
【補正対象項目名】００１１
【補正方法】変更
【補正の内容】
【００１１】
【課題を解決するための手段】
上記目的を達成するために、本発明は、ネットワークを介して接続された印刷装置とコンピュータとから構成される印刷システムにおいて、前記印刷装置は、前記コンピュータから印刷ジョブを受信するジョブ受信手段と、前記コンピュータから、印刷ジョブで用いる印刷命令による動作に加えて、当該印刷命令に応じて印刷に関わる情報を記録させるための命令を受信する受信手段と、前記受信手段で受信した命令に従って、前記ジョブ受信手段により受信した印刷ジョブに含まれる印刷命令による動作に加えて、当該印刷命令に応じて印刷に関わる情報を記録する記録手段とを有し、コンピュータは、前記印刷装置に対して印刷ジョブを送信するジョブ送信手段と、前記印刷命令による動作に加えて、当該印刷命令に応じて印刷に関わる情報を記録させるための命令を印刷装置に送信する送信手段と、を有することを特徴とする。
【手続補正６】
【補正対象書類名】明細書
【補正対象項目名】００１２
【補正方法】変更
【補正の内容】
【００１２】
また、上記目的を達成するために、本発明は、ネットワークを介して接続された印刷装置とコンピュータとから構成される印刷システムにおける管理方法であって、コンピュータによる印刷ジョブで用いる印刷命令による動作に加えて、当該印刷命令に応じて印刷に関わる情報を記録させるための命令を印刷装置に送信する送信工程と、前記印刷装置による前記コンピュータから、印刷ジョブを受信するジョブ受信工程と、前記印刷装置による前記コンピュータから、前記印刷命令による動作に加えて、当該印刷命令に応じて印刷に関わる情報を記録させるための命令を受信する受信工程と、前記印刷装置による前記受信工程で受信した命令に従って、前記コンピュータから受信した印刷ジョブに含まれる印刷命令による動作に加えて、当該印刷命令に応じて印刷に関わる情報を記録する記録工程とを有することを特徴とする。